(57)【要約】【課題】放電型発光管の発光部に封入される物質に応じた発光特性を少なくして、色再現性の良好なプロジェクタの提供。【解決手段】光源装置２と、この光源装置２から射出された光束を、入力される画像情報に応じて変調して光学像を形成する光変調装置６と、この光変調装置６で形成された光学像を投射する投射光学装置８とを備えたプロジェクタにおいて、光源装置２は、発光特性の異なる複数種類の放電型発光管２１１、２２１を備えている。【選択図】図１
2009204646.tif 000002
【特許請求の範囲】
【請求項１】
光源装置と、この光源装置から射出された光束を、入力される画像情報に応じて変調して光学像を形成する光変調装置と、この光変調装置で形成された光学像を投射する投射光学装置とを備えたプロジェクタであって、
前記光源装置は、発光特性の異なる複数種類の放電型発光管を備えていることを特徴とするプロジェクタ。
【請求項２】
請求項１に記載のプロジェクタにおいて、
各放電型発光管を駆動する複数の光源駆動装置と、
各光源駆動装置の駆動制御を行う制御手段とを備え、
前記制御手段は、
前記各放電型発光管の発光特性に関する特性情報を記憶する発光特性情報記憶部と、
前記発光特性情報記憶部に記憶された特性情報に基づいて、各放電型発光管の点灯状態が安定したか否かを判定する点灯状態判定部と、
前記光源装置を駆動したときに、点灯状態が安定する時間の最も短い放電型発光管に最大の駆動電力を与え、前記点灯状態判定部により他の放電型発光管の点灯状態が安定したと判定されたら、最大の駆動電力が与えられた放電型発光管に与える電力を減少させる駆動電力制御部とを備えていることを備えていることを特徴とするプロジェクタ。
【請求項３】
請求項１又は請求項２に記載のプロジェクタにおいて、
前記複数種類の放電型発光管は、いずれかがメタルハライドランプであり、他のいずれかが超高圧水銀ランプであることを特徴とするプロジェクタ。
【発明の詳細な説明】
【技術分野】
【０００１】
本発明は、光源装置と、この光源装置から射出された光束を、入力される画像情報に応じて変調して光学像を形成する光変調装置と、この光変調装置で形成された光学像を投射する投射光学装置とを備えたプロジェクタに関する。
【背景技術】
【０００２】
従来、光源装置と、この光源装置から射出された光束を、入力される画像情報に応じて変調して光学像を形成する光変調装置と、この光変調装置で形成された光学像を投射する投射光学装置とを備えたプロジェクタが利用されている。
このプロジェクタに用いられる光源装置には、放電型発光管が用いられ、放電型発光管としては、ハロゲンランプ、キセノンランプ、超高圧水銀ランプ等が知られている。
この放電型発光管は、発光部に封入される物質によって異なる発光特性を有し、例えば、メタルハライドランプであれば、青色領域の波長の光のピーク値が小さい発光特性を示し、超高圧水銀ランプであれば、緑領域の波長の光のピーク値が小さい発光特性を示す。
ところで、投射画像の高輝度化を図るために、複数の放電型発光管を光源装置に組み込んだ多灯式のプロジェクタが知られており、この多灯式のプロジェクタでは、通常同じタイプの放電型発光管が用いられている（例えば、特許文献１参照）。
【０００３】
【特許文献１】特開２００１−２２２０６４号公報
【発明の開示】
【発明が解決しようとする課題】
【０００４】
しかしながら、前記特許文献１に記載の多灯式のプロジェクタでは、通常の倍の光量で投射画像を形成しているため、高輝度化を実現することはできるのだが、同じタイプの放電型発光管を用いているため、放電型発光管の種類に応じた発光特性の影響が大きくでてしまうという問題がある。
すなわち、メタルハライドランプを２つ用いた多灯式プロジェクタであれば、メタルハライドランプが青色領域の波長の光のピーク値が小さいため、他の波長領域の光とのピーク値の差が助長され、青味の少ない投射画像として観察者に認識されてしまう。
【０００５】
本発明の目的は、放電型発光管の発光部に封入される物質に応じた発光特性を少なくして、色再現性の良好なプロジェクタを提供することにある。
【課題を解決するための手段】
【０００６】
本発明に係るプロジェクタは、
光源装置と、この光源装置から射出された光束を、入力される画像情報に応じて変調して光学像を形成する光変調装置と、この光変調装置で形成された光学像を投射する投射光学装置とを備えたプロジェクタであって、
前記光源装置は、発光特性の異なる複数種類の放電型発光管を備えていることを特徴とする。
【０００７】
ここで、放電型発光管としては、ハロゲンランプ、メタルハライドランプ、キセノンランプ、超高圧水銀ランプ、高圧水銀ランプ等を採用することができ、光源装置は、これらのいずれか２つ以上を組み合わせることにより構成することができる。
また、光変調装置としては、例えば、透過型液晶表示装置、反射型液晶表示装置の他、マイクロミラーを用いたデバイスを採用することができる。
この発明によれば、光源装置に発光特性の異なる複数種類の放電型発光管を用いることにより、１の種類の放電型発光管による放射光のピーク値の小さい波長領域を、他の種類の放電型発光管の放射光のピーク値で補間することが可能となるので、色再現性の良好なプロジェクタとすることができる。
また、光源装置が複数種類の放電型発光管を備えていることにより、光源装置自体の光の表示範囲が拡がるため、ＬＵＴ（Look Up Table）等の画像処理による色補正では表現できない領域の色を表示することができる。
【０００８】
本発明では、
各放電型発光管を駆動する複数の光源駆動装置と、
各光源駆動装置の駆動制御を行う制御手段とを備え、
前記制御手段は、
前記各放電型発光管の発光特性に関する特性情報を記憶する発光特性情報記憶部と、
前記発光特性情報記憶部に記憶された特性情報に基づいて、各放電型発光管の点灯状態が安定したか否かを判定する点灯状態判定部と、
前記光源装置を駆動したときに、点灯状態が安定する時間の最も短い放電型発光管に最大の駆動電力を与え、前記点灯状態判定部により他の放電型発光管の点灯状態が安定したと判定されたら、最大の駆動電力が与えられた放電型発光管に与える電力を減少させる駆動電力制御部とを備えているのが好ましい。
【０００９】
ここで、発光特性情報記憶部に記憶される情報としては、点灯状態が安定するまでの時間や、点灯状態が安定した際の放電型発光管の温度が考えられる。
また、点灯状態判定部による放電型発光管の点灯状態が安定したか否かの判定は、駆動開始時から計時手段により時間を計測し、発光特性情報記憶部に記憶された点灯状態が安定するまでの時間を経過したか否かにより判定してもよく、温度センサ等により放電型発光管の温度を計測し、発光特性情報記憶部に記憶された安定時の放電型発光管の温度となったか否かにより計測してもよい。
この発明によれば、光源装置の駆動初期に、点灯状態が安定する時間の最も短い放電型発光管に最大の駆動電力を与えることにより、当該放電型発光管を最大の光量で発光させることができるため、早期に明るい投射画像を表示することができる。そして、他の放電型発光管の点灯状態が安定したら、最大の駆動電力が与えられた放電型発光管に与える電力を減少させることにより、複数種類の放電型発光管の光量を調整し、最適な色再現性を実現することができる。
【００１０】
本発明では、前記複数種類の放電型発光管は、いずれかがメタルハライドランプであり、他のいずれかが超高圧水銀ランプであるのが好ましい。
この発明によれば、メタルハライドランプ及び超高圧水銀ランプがプロジェクタの光源としてよく利用されるため、複数種類の放電型発光管を備えた光源装置を簡単に構成することができる。
また、メタルハライドランプが青色波長領域の光のピーク値が小さく、緑色波長領域の光のピーク値が大きく、超高圧水銀ランプが青色波長領域の光のピーク値が大きく、緑色波長領域の光のピーク値が小さいため、最適な組み合わせで、色再現性の良好なプロジェクタとすることができる。
【発明を実施するための最良の形態】
【００１１】
以下、本発明の実施形態を図面に基づいて説明する。
［第１実施形態］
●１．光学系の構造
図１には、本実施形態に係るプロジェクタ１が示されており、このプロジェクタ１は、光源装置２と、均一照明光学装置３と、色分離光学装置４と、リレー光学装置５と、光変調装置６と、色合成光学装置７と、投射光学装置８とを備えている。このプロジェクタ１は、光源装置２から射出された光束を、光変調装置６に入力される画像情報に応じて変調して光学像を形成し、投射光学装置８により、スクリーンＳＣ上に投射画像を形成する。
光源装置２は、第１光源ランプ２１、第２光源ランプ２２、反射ミラー２３、及び平行化レンズ２４を備えている。
【００１２】
第１光源ランプ２１は、放電型発光管２１１及びリフレクタ２１２を備える。
放電型発光管２１１は、超高圧水銀ランプであり、内部に一対の電極が配置され、水銀が封入される放電空間が形成された発光部と、この発光部を挟んで互いに離間する方向に延出し、内部に各電極に接続される電極引出線が設けられた一対の封止部とを備えている。
水銀が封入された放電型発光管２１１は、図２に示されるように、略４００ｎｍ〜４４０ｎｍの青色領域の放射光の相対強度が大きく、略４７５ｎｍ〜５３０ｎｍの緑色領域の放射光束の相対強度が小さい発光特性を有している。
リフレクタ２１２は、放電型発光管２１１から射出された放射光束を反射して所定位置に収束させる光学素子であり、本実施形態では、回転楕円面を有する楕円面リフレクタが採用されている。
【００１３】
第２光源ランプ２２も同様に、放電型発光管２２１及びリフレクタ２２２を備える。
但し、第２光源ランプ２２の放電型発光管２２１には、メタルハライドランプが採用されている。放電型発光管２２１として採用されたメタルハライドランプは、超高圧水銀ランプと同様に、内部に一対の電極が配置された放電空間が形成される発光部を有するが、発光部内部に封入される物質が異なり、水銀の他に、ハロゲン化金属が封入される。封入されるハロゲン化金属としては、例えば、ヨウ化ナトリウムや、ヨウ化スカンジウムが挙げられる。
放電型発光管２２１は、図３に示されるように、略４９０ｎｍ〜５９０ｎｍの緑色領域の放射光束の相対強度が大きく、略４００ｎｍ〜４３０ｎｍの青色領域の放射光束の相対強度が小さい発光特性を有している。
【００１４】
第１光源ランプ２１及び第２光源ランプ２２のそれぞれの放電型発光管２１１、２２１から放射された光束は、それぞれのリフレクタ２１２、２２２によって、楕円面の焦点に向かう収束光束として反射ミラー２３に向かって射出される。
反射ミラー２３は、第１光源ランプ２１及び第２光源ランプ２２から射出された射出光束を曲折し、平行化レンズ２４に導く導光装置として機能する。また、この反射ミラー２３による光の反射角は、第１光源ランプ２１から射出された光束と、第２光源ランプから射出された光束とを重畳させるように平行化レンズ２４に導くようになっている。
平行化レンズ２４は、第１光源ランプ２１及び第２光源ランプ２２から射出された収束光束を平行化して、均一照明光学装置３に射出する。
【００１５】
均一照明光学装置３は、第１レンズアレイ３１、第２レンズアレイ３２、偏光変換素子３３、及び重畳レンズ３４を備える。
第１レンズアレイ３１及び第２レンズアレイ３２は、それぞれ対応する小レンズがマトリクス状に配列された構成を有し、第１レンズアレイ３１は、光源装置２から入射した光束を複数の部分光束に分割して、第２レンズアレイ３２近傍に結像させる。
第２レンズアレイ３２は、光路後段に位置する重畳レンズ３４とともに、後述する光変調装置６の各液晶パネル６１Ｒ、６１Ｇ、６１Ｂの画像形成領域上に、第１レンズアレイ３１で分割された複数の部分光束を重畳させる。
【００１６】
偏光変換素子３３は、第２レンズアレイ３２から射出された光束を、略１種類の直線偏光光束に変換する光学素子である。
この偏光変換素子３３は、一方の対角が４５deg、他方の対角が略１３５degとされた断面平行四辺形状の複数のプリズムを、斜面同士を接合して形成された板状体であり、接合される界面には、偏光分離膜と全反射ミラーが交互に蒸着形成されている。
また、偏光変換素子３３の光束射出面には、所定のピッチで複数の１／２波長位相差板が設けられている。
【００１７】
このような偏光変換素子３３では、偏光分離膜を形成した面に光束を入射させると、２種類の直線偏光光束のうち、一方の直線偏光光束は、そのまま透過して射出され、他方の偏光光束は、偏光分離膜で略直角に折り曲げられ、全反射ミラーで再度直角に折り曲げられて射出される。
２種類の直線偏光光束のいずれかは、後段に設けられる１／２波長位相差板によって、偏光方向が９０deg変換され、これにより入射した光束を１種類の直線偏光光束に変換することが可能となる。
このような均一照明光学装置３により、複数の部分光束に分割され、偏光方向を揃えられた光束は、色分離光学装置４に射出される。
【００１８】
色分離光学装置４は、均一照明光学装置３から射出された光束を、赤色光（Ｒ）、緑色光（Ｇ）、青色光（Ｂ）の三色光に分離する機能を有し、ダイクロイックミラー４１、４２、及び反射ミラー４３、４４、４５を備える。
ダイクロイックミラー４１、４２は、光束の光路中心軸に対して略４５deg傾斜して配置され、ＢＫ７、石英ガラス等の透明基板上に誘電体多層膜を形成した光学素子である。ダイクロイックミラー４１、４２の誘電体多層膜は、特定の波長域の光束を反射し、それ以外の光束を透過して、光束を複数の色光に分離する機能を有する。光路前段に配置されるダイクロイックミラー４１は、赤色光（Ｒ）を反射し、それ以外の緑色光（Ｇ）、青色光（Ｂ）を透過し、一方、光路後段に配置されるダイクロイックミラー４２は、緑色光（Ｇ）を反射し、青色光（Ｂ）を透過する。
【００１９】
反射ミラー４３、４４、４５は、ダイクロイックミラー４１、４２で分離された赤色光（Ｒ）及び青色光（Ｂ）を、光変調装置６を構成する液晶パネル６１Ｒ、６１Ｂに導く光学素子であり、全反射ミラーで構成される。
この色分離光学装置４で分離された青色光（Ｂ）の光路中には、リレー光学装置５が設けられ、リレー光学装置５は、光路中に配置される２つの集光レンズ５１、５２により構成され、青色光（Ｂ）を青色光側の液晶パネル６１Ｂまで導く機能を有する。
【００２０】
光変調装置６は、３つの液晶パネル６１Ｒ、６１Ｇ、６１Ｂと、各液晶パネル６１Ｒ、６１Ｇ、６１Ｂの光路前段に配置される３つの入射側偏光板６２Ｒ、６２Ｇ、６２Ｂと、各液晶パネル６１Ｒ、６１Ｇ、６１Ｂの光路後段に配置される３つの射出側偏光板６３Ｒ、６３Ｇ、６３Ｂとを備える。
液晶パネル６１Ｒ、６１Ｇ、６１Ｂは、一対の透明なガラス基板に電気光学物質である液晶が密閉封入された構成を有し、入力される画像情報に応じて液晶の配向状態が制御されることで、入射側偏光板６２Ｒ、６２Ｇ、６２Ｂを透過した直線偏光光束の偏光方向を変調する。液晶パネル６１Ｒ、６１Ｇ、６１Ｂで変調された光束のうち、所定の直線偏光光束は射出側偏光板６３Ｒ、６３Ｇ、６３Ｂを透過し、それ以外の偏光光束は射出側偏光板６３Ｒ，６３Ｇ、６３Ｂにより吸収される。このような光変調装置６で変調された光束は、色合成光学装置７に射出される。
【００２１】
色合成光学装置７は、各射出側偏光板６３Ｒ、６３Ｇ、６３Ｂから射出された変調光束を合成してカラー画像を形成する機能を有し、４つの直角プリズムを貼り合わせた平面視略正方形状を有し、直角プリズム同士を貼り合わせた界面には、２つの誘電体多層膜が形成されたクロスダイクロイックプリズムとして構成される。２つの誘電体多層膜は、一方が赤色光（Ｒ）を反射し、緑色光（Ｇ）を透過する性質を有し、他方が青色光（Ｂ）を反射し、緑色光（Ｇ）を透過する性質を有し、これら誘電体多層膜によって赤色光（Ｒ）、緑色光（Ｇ）、青色光（Ｂ）が合成されてカラー画像が形成される。
投射光学装置８は、図１では図示を略したが、鏡筒内に複数のレンズが光軸を合わせて配列された組レンズから構成され、色合成光学装置７で合成された光学像をスクリーンＳＣ上に投射する。
【００２２】
●２．光源駆動装置９及びコントローラ１０の構造
次に、前述した光源装置２の点灯駆動を行う光源駆動装置９及びこの光源駆動装置９を制御する制御手段としてのコントローラ１０を、図４に基づいて説明する。
光源駆動装置９は、電源１１から放電型発光管２１１、２２１に電源を供給する配線途中に設けられ、ダウンコンバータ９１及びインバータブリッジ９２を備える。
ダウンコンバータ９１は、略３００Ｖ〜４００Ｖで入力する直流電圧を、放電型発光管２１１、２２１の点灯に適した略５０Ｖ〜１５０Ｖに降下させる回路である。このダウンコンバータ９１は、図示を略したが、直列接続されるスイッチング素子及びコイルと、これらの素子から分岐して接続されるダイオード及びコンデンサとを備える。
スイッチング素子は、電源１１から入力した直流電圧を、所望の電圧に降下させる。また、コイル、ダイオード及びコンデンサは、入力する直流電流の高周波成分の除去、整流、及び、入力される直流電圧の定電力化を行う素子として機能する。
【００２３】
インバータブリッジ９２は、直流電流を交流矩形波電流に変換する部分であり、図示を略したが、４つのトランジスタを接続したブリッジ回路として構成され、ブリッジ回路の対角線位置に、放電型発光管２１１、２２１の電極への電圧印加配線が接続される。
このブリッジ回路には、ダウンコンバータ９１を経て整流された直流電流が入力され、ブリッジ回路の互いに対向する一対のトランジスタと、他の一対のトランジスタとを交互にスイッチング制御することにより、その間に接続された放電型発光管２１１、２２１に交流矩形波電流が供給され、交流矩形波電流により、放電型発光管２１１、２２１は、点灯駆動する。
【００２４】
イグナイタ１２は、放電型発光管２１１、２２１の電極間の絶縁破壊を行って、放電型発光管２１１、２２１の起動を促す回路として構成される。
このイグナイタ１２は、図示を略したが、高圧パルス発生回路及びこの高圧パルス発生回路が一次側に接続されるパルストランスを備え、高圧パルス発生回路で発生した高電圧パルスを、パルストランスの二次側で昇圧し、昇圧した電圧を、放電型発光管２１１、２２１の電極に印加することにより、当該電極間の絶縁が破壊され、電気的導通が確保されて放電型発光管が点灯を開始する。
前述したダウンコンバータ９１、インバータブリッジ９２、イグナイタ１２の構成は、基本的に、放電型発光管２１１、２２１の種類によらず同じであるが、放電型発光管２１１、２２１の種類に応じて、駆動電圧等が相違する。
【００２５】
コントローラ１０は、コンバータ制御部１４、インバータ制御部１５、イグナイタ制御部１６、点灯状態判定部１７、発光特性情報記憶部１８、及び駆動電力制御部１９を備える。
コンバータ制御部１４はダウンコンバータ９１のスイッチング制御を行う部分であり、インバータ制御部１５は、インバータブリッジ９２の一対のトランジスタのスイッチング制御を行う部分であり、イグナイタ制御部１６は、イグナイタ１２を駆動制御する部分である。
【００２６】
点灯状態判定部１７は、放電型発光管２１１、２２１の点灯状態が安定したか否かを判定する部分であり、各放電型発光管２１１、２２１の近傍に設けられる温度センサ１３からの検出信号に基づいて、発光特性情報記憶部１８に記憶された情報と対比して、各放電型発光管２１１、２２１の点灯状態を判定する。
発光特性情報記憶部１８は、放電型発光管２１１、２２１の種類に応じた発光特性情報を記憶する部分であり、具体的には、図５に示されるように、ハロゲンランプ、キセノンランプ、メタルハライドランプ、超高圧水銀ランプ等の放電型発光管の種類に応じた、色温度、発光効率、ランプ電力、全光束、発光時に強度大となる波長領域、発光時に強度小となる波長領域、点灯安定時間等の情報が記憶されている。
駆動電力制御部１９は、電源１１を駆動制御して、放電型発光管２１１、２２１のそれぞれに与える駆動電力を制御する部分であり、点灯状態判定部１７の判定結果に基づいて、駆動電力を制御する。
【００２７】
●３．実施形態の作用
次に、本実施形態の作用を、図６に示されるフローチャートに基づいて説明する。
まず、プロジェクタ１の起動とともに、光源装置２が起動すると（手順Ｓ１）、コントローラ１０の点灯状態判定部１７は、発光特性情報記憶部１８内に記憶された発光特性情報を取得する（手順Ｓ２）。本実施形態では、放電型発光管２１１が超高圧水銀ランプであり、放電型発光管２２１がメタルハライドランプなので、発光特性情報記憶部１８内の超高圧水銀ランプ及びメタルハライドランプの色温度情報を取得する。
次に、点灯状態判定部１７は、駆動準備ができた旨を通知し、駆動電力制御部１９は、放電型発光管２１１、２２１の駆動制御を開始し（手順Ｓ３）、さらに、メタルハライドランプである放電型発光管２２１に最大の駆動電力を与える（手順Ｓ４）。
【００２８】
放電型発光管２１１、２２１の点灯が開始されたら、点灯状態判定部１７は、温度センサ１３からの検出信号に基づいて、所定の間隔で放電型発光管２１１、２２１の温度測定を開始する（手順Ｓ５）。
本実施形態では、メタルハライドランプである放電型発光管２２１の方が点灯が安定する時間が短いので、点灯状態判定部１７は、超高圧水銀ランプである放電型発光管２２１の温度が発光特性情報記憶部１８に記憶された色温度となったかを判定する（手順Ｓ６）。
放電型発光管２２１の色温度が発光特性情報記憶部１８に記憶された色温度になったと判定されたら、点灯状態判定部１７は、超高圧水銀ランプである放電型発光管２１１の点灯状態が安定した旨を通知し、駆動電力制御部１９は、これに基づいて、メタルハライドランプである放電型発光管２２１に与える電力を減少調整する（手順Ｓ７）。
【００２９】
以上のような手順で放電型発光管２１１、２２１に与える駆動電力の制御を行う場合、図７に示されるように、メタルハライドランプを最大駆動電力で駆動した後、超高圧水銀ランプの点灯状態が安定するまで、メタルハライドランプを最大駆動電力で駆動し、超高圧水銀ランプの点灯状態が安定した後は、メタルハライドランプと超高圧水銀ランプを、メタルハライドランプを最大駆動電力で駆動した際の輝度の５０％程度となるように駆動制御するのが好ましい。
このようにすれば、光源装置２の駆動直後の投射画像の輝度と、すべての放電型発光管２１１、２２１の点灯が安定した後の投射画像の輝度に変化が生じることがなく、観察者に違和感を感じさせることがない。
【００３０】
そして、超高圧水銀ランプ及びメタルハライドランプを併用して、投射画像を形成することにより、図２及び図３に示されるように、一方のランプの発光特性における相対強度の弱い波長領域を、他方のランプで補うことができるため、投射画像の色再現性を向上することができる。
また、プロジェクタ１に発光特性の異なる２つの放電型発光管２１１、２２１を採用し、駆動電力制御部１９でそれぞれに与える駆動電力を制御することにより、画像処理回路におけるＬＵＴを用いた色ムラの補正だけでなく、光源装置２自体から射出される光束の色味の補正を併用できるので、投射画像の色再現性を一層向上させることができる。
【００３１】
［第２実施形態］
次に、本発明の第２実施形態について説明する。尚、以下の説明では、既に説明した部分と同一の部分等については、同一符号を付してその説明を省略する。
前記第１実施形態では、図１に示されるように、液晶パネル６１Ｒ、６１Ｇ、６１Ｂが３つの三板式のプロジェクタ１に種類の異なる放電型発光管２１１、２２１を適用していた。
これに対して、第２実施形態に係るプロジェクタ１Ａは、図８に示されるように、２つの光学系７０、８０を設け、光源装置２のそれぞれの放電型発光管２１１、２２１から射出される光束を別々の光学系７０、８０に供給し、光学系７０、８０の光変調装置６で変調して光学像を形成して投射する六板式のプロジェクタである点が相違する。
【００３２】
また、前記第１実施形態では、コントローラ１０の点灯状態判定部１７は、放電型発光管２１１、２２１の点灯状態の安定を温度センサ１３からの検出信号に基づいて判定していた。
これに対して、第２実施形態に係るプロジェクタ１Ａのコントローラ１０Ａにおいて、図９に示されるように、点灯状態判定部１７Ａは、タイマなどの計時部１３Ａの時間計測により点灯状態が安定したか否かを判定している点が相違する。
以下、本実施形態を詳述する。
【００３３】
プロジェクタ１Ａの第１光学系７０、第２光学系８０は、基本的な構成は全く同じであり、各光学系７０、８０は、三板式の第１実施形態に係るプロジェクタ１の光学系と同様である。
各光学系７０の色合成光学装置７の後段には、合成光学系９０が配置され、各光学系７０、８０から射出された光学像は、この合成光学系９０で合成され、合成された光学像は、投射光学装置８からスクリーンＳＣ上に投射される。
【００３４】
合成光学系９０は、各光学系７０、８０の光路中心に対して略４５deg傾斜配置する偏光分離膜を形成したプリズムとして構成される。
偏光分離膜は、直線偏光光束のうち、Ｐ偏光光束を透過し、Ｓ偏光光束を反射する性質を有するため、光学系７０の均一照明光学装置３の偏光変換は、入射光束をすべてＰ偏光光束に変換する偏光変換素子３３Ｐによって行われ、光学系８０の均一照明光学装置３の偏光変換は、入射光束をすべてＳ偏光光束に変換する偏光変換素子３３Ｓによって行われる。
また、これに応じて、光変調装置６の入射側、射出側に配置される偏光板もそれぞれ、光学系７０、８０も変更されている。
【００３５】
コントローラ１０Ａは、図９に示されるように、第１実施形態と同様に、コンバータ制御部１４、インバータ制御部１５、イグナイタ制御部１６、発光特性情報記憶部１８、及び駆動電力制御部１９を備える他、タイマ回路等の計時部１３Ａ及びこの計時部１３Ａの計時結果から放電型発光管２１１の点灯安定状態を判定する点灯状態判定部１７Ａを備える。
点灯状態判定部１７Ａは、光源装置２の駆動開始とともに、第１実施形態と同様の構造の発光特性情報記憶部１８に記憶された放電型発光管２１１、２２１の点灯安定時間を取得し、計時部１３Ａの計時情報を取得する。
そして、点灯状態判定部１７Ａは、計時情報が放電型発光管２１１の点灯安定時間に達したと判定されたら、その旨を駆動電力制御部１９に通知し、駆動電力制御部１９は、第１実施形態と同様の方法で放電型発光管２２１の駆動電力を減少調整する。
このような本実施形態によっても、第１実施形態と同様の効果を奏する。
【００３６】
［実施形態の変形］
尚、本発明は、前述した実施形態に限られず、次に示すような変形をも含むものである。
前記各実施形態では、光変調装置６として複数の液晶パネル６１Ｒ、６１Ｇ、６１Ｂを用いていたが、本発明はこれに限られない。例えば、単板式のプロジェクタに本発明を適用してもよく、さらには、マイクロミラーを用いたデバイスに本発明を適用してもよい。
また、前記各実施形態では、放電型発光管として超高圧水銀ランプ及びメタルハライドランプを採用していたが、これに限らず、ハロゲンランプ、キセノンランプ等の他の種類の放電型発光管を採用してもよい。
さらに、前記実施形態では、光源装置２は、２つの異なる放電型発光管２１１、２２１を使用していたが、これに限らず、３種類以上の放電型発光管を用いて光源装置としてもよい。
その他、本発明の実施の際の具体的な構造及び形状等は、本発明の目的を達成できる範囲で他の構造等としてもよい。
【図面の簡単な説明】
【００３７】
【図１】本発明の第１実施形態に係るプロジェクタの光学系の模式図。
【図２】前記実施形態における超高圧水銀ランプの発光特性を表すグラフ。
【図３】前記実施形態におけるメタルハライドランプの発光特性を表すグラフ。
【図４】前記実施形態における光源駆動装置及び制御手段の構成を表すブロック図。
【図５】前記実施形態における発光特性情報記憶部の構成を表す模式図。
【図６】前記実施形態の作用を説明するためのフローチャート。
【図７】前記実施形態の作用を説明するためのグラフ。
【図８】本発明の第２実施形態に係るプロジェクタの光学系の模式図。
【図９】前記実施形態における光源駆動装置及び制御手段の構成を表すブロック図。
【符号の説明】
【００３８】
１、１Ａ…プロジェクタ、２…光源装置、３…均一照明光学装置、４…色分離光学装置、５…リレー光学装置、６…光変調装置、７…色合成光学装置、８…投射光学装置、９…光源駆動装置、１０、１０Ａ…コントローラ、１１…電源、１２…イグナイタ、１３…温度センサ、１３Ａ…計時部、１４…コンバータ制御部、１５…インバータ制御部、１６…イグナイタ制御部、１７、１７Ａ…点灯状態判定部、１８…発光特性情報記憶部、１９…駆動電力制御部、２１、２２…光源ランプ、２３…反射ミラー、２４…平行化レンズ、３１…第１レンズアレイ、３２…第２レンズアレイ、３３、３３Ｐ、３３Ｓ…偏光変換素子、３４…重畳レンズ、４１、４２…ダイクロイックミラー、４３、４４、４５…反射ミラー、５１、５２…集光レンズ、６１Ｒ、６１Ｇ、６１Ｂ…液晶パネル、６２Ｒ、６２Ｇ、６２Ｂ…入射側偏光板、６３Ｒ、６３Ｇ、６３Ｂ…射出側偏光板、７０…第１光学系、８０…第２光学系、９０…合成光学系、９１…ダウンコンバータ、９２…インバータブリッジ、２１１…放電型発光管（超高圧水銀ランプ）、２１２…リフレクタ、２２１…放電型発光管（メタルハライドランプ）、２２２…リフレクタ、ＳＣ…スクリーン
【図１】
2009204646.tif 000003
【図２】
2009204646.tif 000004
【図３】
2009204646.tif 000005
【図４】
2009204646.tif 000006
【図５】
2009204646.tif 000007
【図６】
2009204646.tif 000008
【図７】
2009204646.tif 000009
【図８】
2009204646.tif 000010
【図９】
2009204646.tif 000011